(57)【要約】【課題】  簡単な構造で塵埃などの異物の撮影画像への写り込みを防止する。【解決手段】  デジタルカメラ１０は、半永久的に電荷を保持したエレクトレット繊維からなるエレクトレットシート３０２，３０４，３０６を、（１）撮影レンズユニット１６の鏡胴１５の内壁１５Ａ、（２）クイックリターンミラー２０３の周縁部、（３）ＣＣＤ２２の周縁部、の３箇所に貼り付けている。よって、塵埃などの異物がエレクトレットシート３０２，３０４，３０６に静電吸着される。したがって、例えば、異物がカバーガラス２４に付着して撮影画像に写り込んでしまうことが防止される。つまり、エレクトレットシート３０２，３０４，３０６を貼り付けるだけの簡単で安価な構成で、塵埃などの異物が撮影画像に写り込んでしまうことが防止される。【選択図】        図４
2006060427.tif 000002
【特許請求の範囲】
【請求項１】
撮影レンズと、
前記撮影レンズにより結像した被写体像を電気信号に変換する撮像素子と、
を備える電子カメラにおいて、
半永久的に電荷を保持したエレクトレット部材を、前記撮影レンズから前記撮像素子までの間の光軸まわりの撮影光路外に配置したことを特徴とする電子カメラ。
【請求項２】
前記エレクトレット部材は、交換可能であることを特徴とする請求項１に記載の電子カメラ。
【請求項３】
前記撮影光路に設けられ、前記被写体光を反射し、該被写体光を光学ファインダへの光路系へ導くミラーを備え、
前記エレクトレット部材を、前記ミラーの周縁部に取り付けたことを特徴とする請求項１又は請求項２に記載の電子カメラ。
【請求項４】
前記エレクトレット部材を、前記撮像素子の周縁部、又は周縁部近傍に配置したことを特徴とする請求項１から請求項３のいずれか１項に記載の電子カメラ。
【請求項５】
前記エレクトレット部材を、前記撮影レンズを備えた鏡胴の内壁に配置したことを特徴とする請求項１から請求項４のいずれか１項に記載の電子カメラ。
【請求項６】
前記撮影レンズを備える撮影レンズユニットと、
前記撮影レンズユニットを交換可能にマウントするカメラ本体と、
で構成されていることを特徴とする請求項１から請求項５のいずれか１項に記載の電子カメラ。
【請求項７】
半永久的に電荷を保持したエレクトレット部材を、被写体像を電気信号に変換する撮像素子の周縁部、又は周縁部近傍に配置したことを特徴とする電子カメラ用の撮像素子ユニット。
【請求項８】
前記エレクトレット部材は、交換可能であることを特徴とする請求項７に記載の電子カメラ用の撮像素子ユニット。
【請求項９】
半永久的に電荷を保持したエレクトレット部材を、撮影レンズを備える鏡胴の内壁に配置したことを特徴とする電子カメラ用の撮影レンズユニット。
【請求項１０】
前記エレクトレット部材は、交換可能であることを特徴とする請求項９に記載の電子カメラ用の撮影レンズユニット。
【発明の詳細な説明】
【技術分野】
【０００１】
本発明は、電子カメラ、電子カメラ用の撮像素子ユニット、及び電子カメラ用の撮影レンズユニットに関する。
【背景技術】
【０００２】
近年、ＣＣＤ等の撮像素子を用いるデジタルカメラが数多く市場に出回るようになっている。このような、デジタルカメラは、ＣＣＤ等の撮像素子の前面に配置されたカバーガラスなどに、被写体とは無関係な塵埃等の異物が付着すると、この異物も撮影画像に写り込んでしまうという問題がある。
【０００３】
なお、従来の銀塩フィルムを使用するカメラでもまた、フィルム上に異物が付着すると写り込んでしまうが、フィルムの場合は１駒毎にフィルムが移動するため、全ての駒に同様の異物が写り込むのは大変希である。しかし、ＣＣＤ等の撮像素子の場合は、撮影後に移動しないので、一旦異物が付着すると多くの駒に異物が写り込んでしまう。また、異物が徐々にカバーガラスに累積していく。
【０００４】
したがって、撮影者は常に、このＣＣＤ等の撮像素子のカバーガラスなどへの異物の付着には大変気を使っていなければならず、異物のチェックや清掃に多くの労力を費やしていた。特に、撮影レンズ交換可能なデジタルカメラでは、撮影レンズ交換時に外部から塵埃が進入するので、影響が大きい。更に、撮像素子は、デジタルカメラ内部の比較的奥まったところに配置されているため、清掃作業も容易ではない。
【０００５】
このため、撮像素子の前面側に設けられた防塵部材に付着した塵埃を、防塵部材に振動を与えて除去し、再度付着しないように除去された塵埃を集塵する方法が提案されている。除去された塵埃を集塵する方法としては、（１）粘着部材に付着させる方法、（２）針状電極で塵埃をイオン化し、イオン化した塵埃を電気的に集塵する方法、が提案されている。（例えば、特許文献１参照）。
【特許文献１】特開２００３−３３８９６７号公報
【発明の開示】
【発明が解決しようとする課題】
【０００６】
しかしながら、特開２００３−３３８９６７号公報に記載の方法は、防塵部材に付着した塵埃を除去し、そして、除去された塵埃を集塵しているため、機構が複雑であり、また、高コストである。
【０００７】
本発明は、上記問題を解決すべく成されたもので、簡単な構造で塵埃などの異物の撮影画像への写り込みを防止することを目的とする。
【課題を解決するための手段】
【０００８】
請求項１に記載の電子カメラは、撮影レンズと、前記撮影レンズにより結像した被写体像を電気信号に変換する撮像素子と、を備える電子カメラにおいて、前記撮影レンズから前記撮像素子までの間の光軸まわりの撮影光路外に、半永久的に電荷を保持したエレクトレット部材を、配置したことを特徴としている。
【０００９】
請求項１に記載の電子カメラは、撮影レンズにより結像した被写体像を電気信号に変換する撮像素子を備えている。そして、撮影レンズから撮像素子までの間の光軸まわりの撮影光路外に、半永久的に電荷を保持したエレクトレット部材が配置されている。したがって、電子カメラ内部の塵埃などの異物が、エレクトレット部材に静電吸着される。
【００１０】
よって、例えば、撮像素子の前面に配置されたカバーガラスなどに異物が付着して撮影画像に写り込むことが防止される。つまり、簡単で安価な構成で、塵埃などの異物が撮影画像に写り込むことが防止される。
【００１１】
請求項２に記載の電子カメラは、請求項１に記載の構成において、前記エレクトレット部材は、交換可能であることを特徴としている。
【００１２】
請求項２に記載の電子カメラは、エレクトレット部材が交換可能である。よって、例えば、塵埃などの異物がエレクトレット部材に多量に付着し静電吸着力が弱まっても、新品に交換することで、静電吸着力を復帰できる。
【００１３】
請求項３に記載の電子カメラは、請求項１又は請求項２に記載の構成において、前記撮影光路に設けられ、前記被写体光を反射し、該被写体光を光学ファインダへの光路系へ導くミラーを備え、前記エレクトレット部材を、前記ミラーの周縁部に取り付けたことを特徴としている。
【００１４】
請求項３に記載の電子カメラは、電子カメラ内部の塵埃などの異物が、被写体光を反射し光学ファインダへの光路系へ導くミラーの周縁部に取り付けられたエレクトレット部材に静電吸着される。
【００１５】
請求項４に記載の電子カメラは、請求項１から請求項３のいずれか１項に記載の構成において、前記エレクトレット部材を、前記撮像素子の周縁部、又は周縁部近傍に配置したことを特徴としている。
【００１６】
請求項４に記載の電子カメラは、電子カメラ内部の塵埃などの異物が、撮像素子の周縁部、又は周縁部近傍に配置したエレクトレット部材に静電吸着される。
【００１７】
請求項５に記載の電子カメラは、請求項１から請求項４のいずれか１項に記載の構成において、前記エレクトレット部材を、前記撮影レンズを備えた鏡胴の内壁に配置したことを特徴としている。
【００１８】
請求項５に記載の電子カメラは、電子カメラ内部の塵埃などの異物が、撮影レンズを備えた鏡胴の内壁に配置されたエレクトレット部材に静電吸着される。
【００１９】
請求項６に記載の電子カメラは、請求項１から請求項５のいずれか１項の構成において、前記撮影レンズを備える撮影レンズユニットと、前記撮影レンズユニットを交換可能にマウントするカメラ本体と、で構成されていることを特徴としいる。
【００２０】
請求項６に記載の電子カメラは、撮影レンズを備える撮影レンズユニットが交換可能にカメラ本体にマウントされる。撮影レンズユニットを交換する際に、塵埃などの異物が侵入する。電子カメラ内部に侵入した塵埃などの異物は、光軸まわりの撮影光路外に配置されたエレクトレット部材に静電吸着される。よって、撮影レンズユニットが交換可能な電子カメラでも、塵埃などの異物が撮影画像に写り込むことが防止される。
【００２１】
請求項７に記載の電子カメラ用の撮像ユニットは、エレクトレット部材を、被写体像を電気信号に変換する撮像素子の周縁部、又は周縁部近傍に配置したことを特徴としている。
【００２２】
請求項７に記載の電子カメラ用の撮像ユニットは、被写体像を電気信号に変換する撮像素子の周縁部、又は周縁部近傍に配置したエレクトレット部材が塵埃などの異物を静電吸着する。
【００２３】
請求項８の電子カメラ用の撮像ユニットは、請求項７に記載の構成において、前記エレクトレット部材は、交換可能であることを特徴としている。
【００２４】
請求項８に記載の電子カメラ用の撮像素子ユニットは、エレクトレット部材が交換可能である。よって、塵埃などの異物がエレクトレット部材に多量に付着して静電吸着力が弱まっても、新品に交換することで、静電吸着力を復帰できる。
【００２５】
請求項９に記載の電子カメラ用の撮影レンズユニットは、エレクトレット部材を、撮影レンズを備える鏡胴の内壁に配置したことを特徴としている。
【００２６】
請求項９に記載の電子カメラ用の撮影レンズユニットは、撮影レンズを備える鏡胴の内壁に配置したエレクトレット部材が塵埃などの異物を静電吸着する。
【００２７】
請求項１０の電子カメラ用の撮影レンズユニットは、請求項９に記載の構成において、前記エレクトレット部材は、交換可能であることを特徴としている。
【００２８】
請求項１０に記載の電子カメラ用の撮影レンズユニットは、エレクトレット部材が交換可能である。よって、塵埃などの異物がエレクトレット部材に多量に付着して静電吸着力が弱まっても、新品に交換することで、静電吸着力を復帰できる。
【発明の効果】
【００２９】
以上説明したように本発明によれば、簡単な構造で塵埃などの異物の撮影画像への写り込みを防止する。
【発明を実施するための最良の形態】
【００３０】
本発明の一の実施形態に係るデジタルカメラについて説明する。
【００３１】
図１に示すように、デジタルカメラ１０は、主に静止画像を撮影する一眼レフタイプのデジタルカメラである。図１と図２とに示すように、デジタルカメラ１０は、カメラ本体１２の前面（正面）部に撮影レンズユニットマウント部１４が備えられ、撮影レンズユニットマウント部１４を介して撮影レンズユニット１６が交換可能に装着される。
【００３２】
撮影レンズユニット１６は円筒状の鏡胴１５の中に、絞り機構８０やフォーカシングレンズ８２（図８のブロック図を参照）などの複数の撮影レンズ３００を備えている。なお、カメラ本体１２に最も近い撮影レンズ３００は撮影レンズ３０１である。また、シャッターボタン１８が正面に向かって左上部に配置されている。
【００３３】
図３に示すように、デジタルカメラ１０の背面外装部には、光学ファインダ６０、表示パネル６２、液晶モニタ６４、十字ボタン６６、メニュー／実行ボタン６７、バックボタン６８、ファンクションボタン６３などが設けられている。
【００３４】
液晶モニタ６４には、被写体像及び記録済み画像の再生画像を表示させることができる。また、現在設定されているモードの情報、画像の圧縮率の情報、日時情報、コマ番号なども表示される。更に、ユーザーが各種の設定操作等を行う際のユーザインターフェース用表示画面としても利用され、必要に応じて設定項目などのメニュー情報も表示される。
【００３５】
光学ファインダ６０は、撮影レンズユニット１６（図１参照）からの被写体像を、そのまま見ることができる。
【００３６】
図４に示すように、カメラ本体１２の内部には、クイックリターンミラー２０３が撮影光路内に設けられている。クイックリターンミラー２０３は、撮影レンズユニット１６からの被写体光を光学ファインダ６０への光路系に導く位置（斜設位置）と撮影光路外に退避する位置（退避位置）との間を移動する。（所謂、ミラーダウンとミラーアップ）。なお、図４においては、クイックリターンミラー２０３がミラーダウンした斜設位置にある。また、一点鎖線は、光軸２０１を示している。
【００３７】
クイックリターンミラー２０３の上方には、光学ファインダ６０に導かれる被写体光が結像するピント板２０４が配設されている。ピント板２０４の上方には、光学ファインダ６０の視認性を向上させるためのコンデンサレンズ２０５が設けられている。そして、ペンタゴナルダハプリズム２０６で、ピント板２０４とコンデンサレンズ２０５とを通った被写体光を、光学ファインダ６０用の接眼レンズ２０８に導く。
【００３８】
一方、クイックリターンミラー２０３の後方には、縦方向（図５（Ｂ）の矢印Ｙ方向）にシャッター３２が開閉するフォールプレーンシャッター型のシャッター機構３０が配置されている。なお、図３ではシャッター３２が開放した状態である。シャッター機構３０の後方には、撮像素子ユニット２５が配置されている。撮像素子ユニット２５は、撮像素子であるＣＣＤ２２やＣＣＤ２２の前面を保護するカバーガラス２４などで構成している。ＣＣＤ２２は多数のフォトダイオード（図示省略）が平面的に配列され、ハニカム配列、ベイヤー配列その他の所定のカラーフィルター配列構造を備えている。なお、カバーガラス２４は、撮像素子の前面に配置される各種光学フィルター、例えば、モアレを軽減するためのローパスフィルターである場合も含む。
【００３９】
そして、クイックリターンミラー２０３が撮影光路外に退避する位置（退避位置）にミラーアップし、シャッター３２を開き、ＣＣＤ２２に電荷を蓄積する。そして、画像データが、記録メディア１２０（図８参照）に記録される。
【００４０】
さて、デジタルカメラ１０は、撮影レンズユニット１６の内部に備える複数の撮影レンズ３００からＣＣＤ２２までの間の光軸２０１まわりの撮影光路外（撮影画像に写り込まない位置）に、半永久的に電荷を保持したエレクトレット繊維からなるエレクトレットシート３０２，３０４，３０６を、配置している。
【００４１】
具体的には、つぎに説明する３箇所に配置している。
【００４２】
（１）撮影レンズユニット１６の鏡胴１５の内壁１５Ａ
図４と図５とに示すように、撮影レンズユニット１６の撮影レンズユニットマウント部１４との接合付近（撮影レンズ３００の最もカメラ本体１２側にある撮影レンズ３０１と撮影レンズユニットマウント部１４との間）の鏡胴１５の内壁１５Ａにエレクトレットシート３０２が貼り付けられいる。
【００４３】
（２）クイックリターンミラー２０３の周縁部
図４と図６とに示すように、クイックリターンミラー２０３の周縁部にエレクトレットシート３０４が貼り付けらてれいる。
【００４４】
（３）ＣＣＤ２２を保護するカバーガラス２４の周縁部分の周縁部
図４と図７とに示すように、ＣＣＤ２２を保護するカバーガラス２４の周縁部分にエレクトレットシート３０６が貼り付けらてれいる。
【００４５】
なお、エレクトレットシート３０２，３０４，３０６は、いずれも交換可能なように取り付けられている。例えば、両面テープ（図示省略）で貼り付ける、あるいは、固定部材（図示省略）に貼り付け、この固定部材を各箇所に、例えば、ビスで固定する等すれば良い。
【００４６】
また、エレクトレットとは、電荷が絶縁性物質体の中に半永久的に保持されているものである。製造方法としては、例えば、絶縁性に優れた高分子材料（例えば、テフロン（登録商標）、ポリプロピレン、マイラーなど）等を加熱溶融し、直流の高電圧を加えながら、電極の間で固化させたあと電極を取り去ることで、電極に接していた面が正または負に帯電し、この分極（正と負の電気に分かれた状態）が半永久的に保持されることで、エレクトレットとする方法がある。あるいは、直流高電圧を針状電極にかけて大気中でイオンを発生し、これを試料に印加する方法、パルス放電により試料に印加する方法などもある。
【００４７】
エレクトレットシート３０２，３０４，３０６は、このようにしてエレクトレット化した繊維から作られたものである。また、エレクトレットシート３０２，３０４，３０６は糸クズや塵埃などがでない、不織布である。
【００４８】
さて、図８は、デジタルカメラ１０（カメラ本体１２及び撮影レンズユニット１６）の内部構成を示すブロック図である。撮影レンズユニット１６は、絞り機構８０とフォーカシングレンズ８２などの複数の撮影レンズ３００とを備えるとともに、絞り機構８０を駆動する手段としてのアイリスモータ８３及びその駆動回路（モータドライバ）８４、フォーカシングレンズ８２を駆動する手段としてのＡＦモータ８６及びその駆動回路（モータドライバ）８７、並びに制御用の中央処理装置（以下、レンズＣＰＵという。）８８、各種データが格納されているＲＯＭ８９等が内蔵されている。
【００４９】
不揮発性記憶手段であるＲＯＭ８９は書き換え不能なものであってもよいし、ＥＥＰＲＯＭのように書き換え可能なものでもよい。ＲＯＭ８９には当該撮影レンズユニット１６の型名、焦点距離、Ｆナンバー、その他の撮影レンズ性能に関する各種情報（以下、「撮影レンズ情報」という。）が格納されている。
【００５０】
撮影レンズユニット１６をカメラ本体１２の撮影レンズユニットマウント部１４に装着（図１と図２参照）すると、撮影レンズユニットマウント部１４に設けられている電気接点部１４Ａと撮影レンズユニット１６の電気接点部１６Ａとを介して撮影レンズユニット１６とカメラ本体１２が電気的に接続され、デジタルカメラ１０内のＣＰＵ（以下、カメラＣＰＵという。）９０とレンズＣＰＵ８８の間で信号の受渡しが可能となる。
【００５１】
カメラＣＰＵ９０は、所定のプログラムに従って本カメラシステムを統括制御する制御手段として機能するとともに、ＡＥ／ＡＦ演算など各種の演算を実施する演算手段として機能する。カメラＣＰＵ９０に接続されているＲＯＭ９１には、カメラＣＰＵ９０が実行するプログラム及び制御に必要な各種データ等が格納されており、ＲＡＭ９２はカメラＣＰＵ９０の作業用領域として利用される。不揮発性記憶手段であるＲＯＭ９１は書き換え不能なものであってもよいし、ＥＥＰＲＯＭのように書き換え可能なものでもよい。
【００５２】
カメラＣＰＵ９０は、カメラ本体１２に設けられている電源スイッチ９３、モード選択スイッチ９４、及びレリーズ検出スイッチ９５その他の操作部９６からの指示信号に基づいてデジタルカメラ１０内の各回路の動作を制御する。なお、操作部９６は図３で説明した十字ボタン６６、メニュー／実行ボタン６７、バックボタン６８、ファンクションボタン６３等の各種の操作手段を含むブロックである。
【００５３】
電源スイッチ９３は、デジタルカメラ１０の主電源をＯＮ／ＯＦＦする操作手段である。カメラＣＰＵ９０は電源スイッチ９３の状態を監視し、その状態に応じて電源回路９７を制御する。すなわち、電源スイッチ９３の閉（ＯＮ）状態を検出すると、カメラＣＰＵ９０は電源回路９７に対して起動指令の信号を与え、電源回路９７を起動させる。
【００５４】
電源回路９７はＤＣ／ＤＣコンバータを含む。デジタルカメラ１０に装填されている電池９８から供給される電力は、電源回路９７のＤＣ／ＤＣコンバータによって所要の電圧に変換された後、電源回路９７よりデジタルカメラ１０内の各回路ブロックに供給される。電源スイッチ９３の開（ＯＦＦ）状態を検出すると、カメラＣＰＵ９０は電源回路９７に対して停止指令の信号を与え、電源回路９７からの電力供給を停止させる。なお、主電源のＯＮ／ＯＦＦについては、電源スイッチ９３の操作に限らず、オートパワーＯＮ機能（設定された時刻にパワーＯＮする機能）やオートパワーＯＦＦ機能（一定時間の無操作状態が継続した場合や設定された時刻に自動的にパワーＯＦＦする機能）によって切り換わる態様もある。
【００５５】
また、カメラＣＰＵ９０は、電気接点部１４Ａを介して伝達される電気信号に基づいて撮影レンズユニット１６の着脱を検出することができるとともに、装着された撮影レンズユニット１６から撮影レンズ情報を取得することができる。取得した撮影レンズ情報はデジタルカメラ１０のＥＥＰＲＯＭ（不揮発性記憶手段）９９に記憶され、その情報内容は電源ＯＦＦの状態においても保持される。カメラＣＰＵ９０はＥＥＰＲＯＭ９９内に保持しているデータと、電源ＯＮ時に新たに撮影レンズユニット１６から取得した撮影レンズ情報を比較することによって、撮影レンズ交換が行われたか否かを判断する。
【００５６】
モード選択スイッチ９４は、デジタルカメラ１０の動作モードを設定する手段であり、このモード切換スイッチを操作することによって「撮影モード」（撮影を行うモード）や「再生モード」（記録画像を再生するモード）などの各モードに設定できる。レリーズ検出スイッチ９５は、シャッターボタン１８（図１参照）の内部に配設される検出スイッチであり、シャッターボタン１８の半押し時にＯＮするＳ１スイッチと、全押し時にＯＮするＳ２スイッチから構成される。
【００５７】
モード選択スイッチ９４によって「撮影モード」が選択されると、デジタルカメラ１０は撮影可能な状態になる。カメラＣＰＵ９０がシャッターボタン１８の半押し（Ｓ１＝ＯＮ）を検出すると、ＡＥ及びＡＦ処理を実施し、その後、シャッターボタン１８の全押し（Ｓ２＝ＯＮ）を検知すると、記録用の画像を取り込むためのＣＣＤ露光及び読み出し制御を開始する。
【００５８】
デジタルカメラ１０に搭載されたＡＥ機能はＴＴＬ方式のＡＥであり、デジタルカメラ１０内部には、検出系としてのＡＥセンサ（受光素子）１００と、撮影レンズの透過光を分岐してＡＥセンサ１００まで導く検出光路を形成する光学系（不図示）とが設けられている。また、デジタルカメラ１０のＡＦ機能はＴＴＬ位相差式ＡＦであり、デジタルカメラ１０内部には位相差式ＡＦの検出系であるＡＦモジュール１０１と、検出光路の形成に必要な光学系（不図示）とが配設されている。ＡＥセンサ１００やＡＦモジュール１０１の配置構造や光学系の構成などについては、本発明の実施において特に限定されるものではく、一眼レフカメラの分野において知られる様々な態様を適用できる。また、ＡＥ／ＡＦ機能を実現する手段は、上述の例に限定されず、他のＡＥ／ＡＦ方式を用いてもよい。
【００５９】
シャッターボタン１８が「半押し」されると（Ｓ１＝ＯＮ）、カメラＣＰＵ９０は、ＡＦモジュール１０１からの検出信号に基づいてピント状態を判定し、フォーカシングレンズ８２の移動制御信号を生成する。この移動制御信号はレンズＣＰＵ８８に送られる。レンズＣＰＵ８８はカメラＣＰＵ９０からの信号に基づいてモータドライバ８７を制御してＡＦモータ８６を作動させ、フォーカシングレンズ８２を合焦位置に移動させる。
【００６０】
また、カメラＣＰＵ９０は、ＡＥセンサ１００からの検出信号に基づいてＡＥ演算を行い、絞り値やシャッタースピードを算出する。カメラＣＰＵ９０で生成された絞り制御信号はレンズＣＰＵ８８に送られる。レンズＣＰＵ８８はカメラＣＰＵ９０からの信号に基づいてモータドライバ８４を制御してアイリスモータ８３を作動させ、絞り機構８０を所要の開口にする。
【００６１】
シャッターボタン１８が「全押し」されると（Ｓ２＝ＯＮ）、カメラＣＰＵ９０は、ＡＥ演算の結果に基づいてシャッター機構３０（図３参照）を制御し、シャッター機構３０のシャッター３２を開閉動作させるとともに、ＣＣＤ２２の電荷蓄積時間を制御する。
【００６２】
撮影レンズユニット１６を介してＣＣＤ２２に結像された被写体の光学像は、ＣＣＤ２２によって光電変換される。
【００６３】
ＣＣＤ２２の各フォトダイオード（図示省略）に蓄積された信号電荷は、タイミングジェネレータ（ＴＧ）１０３から与えられるパルスに基づいて信号電荷に応じた電圧信号（撮像信号）として順次読み出される。ＣＣＤ２２から出力された信号はアナログ処理部１０４に送られ、相関二重サンプリング（ＣＤＳ）処理、色分離、ゲイン調整などの所要の処理が行われる。アナログ処理部１０４で生成された画像信号はＡ／Ｄ変換器１０６によってデジタル信号に変換された後、画像入力コントローラ１０８を介してメモリ１１０に格納される。なお、タイミングジェネレータ１０３は、カメラＣＰＵ９０の指令に従ってＣＣＤ２２、アナログ処理部１０４及びＡ／Ｄ変換器１０６に対してタイミング信号を与えており、このタイミング信号によって各回路の同期がとられている。
【００６４】
メモリ１１０に格納されたデータは、バス１１２を介して画像信号処理回路１１４に送られる。画像信号処理回路１１４は、輝度・色差信号生成回路、ガンマ補正回路、シャープネス補正回路、ホワイトバランス補正回路等を含む画像処理手段であり、カメラＣＰＵ９０からのコマンドにしたがって、画像信号を処理する。
【００６５】
画像信号処理回路１１４に入力された画像データは、輝度信号（Ｙ信号）及び色差信号（Ｃｒ，Ｃｂ信号）に変換されるとともに、ガンマ補正等の所定の処理が施される。画像信号処理回路１１４で生成された画像データは圧縮伸長回路１１６に送られ、ＪＰＥＧその他の所定の形式に従って圧縮される。圧縮された画像データは、メディアコントローラ１１８を介して記録メディア１２０に記録される。
【００６６】
圧縮形式はＪＰＥＧに限定されず、ＭＰＥＧその他の方式を採用してもよい。また、画像データを保存する手段は、メモリカードで代表される半導体メモリに限定されず、磁気ディスク、光ディスク、光磁気ディスクなど、種々の媒体を用いることができる。また、リムーバブルメディアに限らず、デジタルカメラ１０に内蔵された記録媒体（内部メモリなど）であってもよい。
【００６７】
モード選択スイッチ９４によって「再生モード」が選択されると、記録メディア１２０から画像ファイルが読み出される。読み出された画像データは、圧縮伸長回路１１６によって伸長処理され、ＶＲＡＭ１２２に送られる。ＶＲＡＭ１２２に格納されたデータは、
ビデオエンコーダ１２４によって表示用の所定方式の信号（例えば、ＮＴＳＣ方式のカラー複合映像信号）に変換された後、液晶モニタ６４に供給される。こうして記録メディア１２０に格納されている画像が液晶モニタ６４に表示される。
【００６８】
つぎに、本実施形態の作用について説明する。
【００６９】
デジタルカメラ１０は、ユーザーによって必要に応じ、撮影レンズユニット１６が交換される。その際、カメラ本体１２の開口部１７（図２参照）から、外部の塵埃など異物が、カメラ本体１２の内部に侵入する。あるいは、生産時に混入した塵埃などの異物やカメラ本体１２の内部の駆動部分（例えば、シャッター機構３０）から発生する摩擦粉などの異物もカメラ本体１２の内部に存在する。このような異物が、例えば、カバーガラス２４（図４参照）に付着すると、撮影画像に写り込んでしまう。
【００７０】
しかし、デジタルカメラ１０は、図４に示すように、半永久的に電荷を保持したエレクトレット繊維からなるエレクトレットシート３０２，３０４，３０６を、（１）撮影レンズユニット１６の鏡胴１５の内壁１５Ａ、（２）クイックリターンミラー２０３の周縁部、（３）ＣＣＤ２２を保護するカバーガラス２４の周縁部分の３箇所に貼り付けている。
【００７１】
よって、塵埃などの異物がエレクトレットシート３０２，３０４，３０６に静電吸着される。したがって、例えば、異物がカバーガラス２４に付着して撮影画像に写り込んでしまうことが防止される。つまり、エレクトレットシート３０２，３０４，３０６を貼り付けるだけの簡単で安価な構成で、塵埃などの異物が撮影画像に写り込んでしまうことが防止される。
【００７２】
更に、エレクトレットシート３０２，３０４，３０６は交換可能（取り替え可能）である。よって、例えば、エレクトレットシート３０２，３０４，３０６に異物が多量に付着し静電吸着力が弱まっても、新品に交換することで静電吸着力を復帰できる。
【００７３】
尚、本発明は、上記の実施の形態に限定されるものではない。
【００７４】
例えば、本実施形態では、エレクトレットシート３０２，３０４，３０６を（１）撮影レンズユニット１６の鏡胴１５の内壁１５Ａ、（２）クイックリターンミラー２０３の周縁部、（３）ＣＣＤ２２を保護するカバーガラス２４の周縁部分、の３箇所に配置したが、３箇所すべてに配置する必要はない。（１）から（３）のうち、いずれか１箇所あるいは２箇所に配置しても良い。また、（１）から（３）の以外の場所であっても良い。つまり、撮影レンズ３００からＣＣＤ２２までの間の光軸２０１まわりの撮影光路外のどこかに配置すればよい。
【００７５】
また、例えば、上記実施形態では、クイックリターンミラー２０３は、被写体光を光学ファインダ６０への光路系に導く位置（斜設位置）と撮影光路外に退避する位置（退避位置）との間を移動している。しかし、このようなクイックリターンミラー２０３の替わりに、被写体光の一部は光学ファインダ６０への光路系に反射し、一部は透過する半透明ミラーを固定しても良い。
【００７６】
また、例えば、上記実施形態では、主に静止画像を撮影する一眼レフタイプのデジタルカメラを例にとって説明したが、これに限定されない。主に動画を撮影するデジタルビデオカメラやＤＶＤカメラなど、各種の電子カメラに本発明は適用することができる。また一眼レフタイプに限らず、他のタイプの撮影レンズユニット交換式の電子カメラにも同様に適用することもできる。更に、撮影レンズユニットが交換できない撮影レンズ固定タイプの電子カメラ（例えば、コンパクトタイプのデジタルカメラ）にも適用できる。なお、撮影レンズ固定タイプの電子カメラでは、撮影レンズユニットの交換の際の塵埃の侵入は無い。しかし、生産時に混入したゴミや駆動部分から発生する摩擦粉などがカバーガラスに付着してしまうことがあり、しかも、ユーザー自身では除去できない。したがって、本発明を適用することは有効である。
【図面の簡単な説明】
【００７７】
【図１】本発明の一の実施形態に係るデジタルカメラを示す斜視図である。
【図２】本発明の一の実施形態に係るデジタルカメラを示し、撮影レンズユニットを外した状態の斜視図である。
【図３】本発明の一の実施形態に係るデジタルカメラの背面を示す図である。
【図４】本発明の一の実施形態に係るデジタルカメラの内部を模式的に示す図である。
【図５】本発明の一の実施形態に係るデジタルカメラの撮影レンズユニットを示し、（Ａ）は光軸に対して直交する方向に見た断面図であり、（Ｂ）光軸方向に見た断面図である。
【図６】（Ａ）は本発明の一の実施形態に係るデジタルカメラのクイックリターンミラーの斜視図であり、（Ｂ）は（Ａ）のＢ−Ｂ断面の断面図である。
【図７】本発明の一の実施形態に係るデジタルカメラの撮像素子ユニットを示し、（Ａ）は光軸方向に見た平面図であり、（Ｂ）は（Ａ）のＢ−Ｂ断面の断面図である。
【図８】本発明の一の実施形態に係るデジタルカメラの内部構成を示すブロック図である。
【符号の説明】
【００７８】
１０      デジタルカメラ（電子カメラ）
１２      カメラ本体
１５      鏡胴
１５Ａ    内壁
１６      撮影レンズユニット
２２      ＣＣＤ（撮像素子）
２５      撮像素子ユニット
６０      光学ファインダ
２０１      光軸
２０３      クイックリターンミラー（ミラー）
２０４      ピント板（光路系）
２０５      コンデンサレンズ（光路系）
２０６      ペンタゴナルダハプリズム（光路系）
２０８      接眼レンズ（光路系）
３００      撮影レンズ
３０１      撮影レンズ
３０２      エレクトレットシート（エレクトレット部材）
３０４      エレクトレットシート（エレクトレット部材）
３０６      エレクトレットシート（エレクトレット部材）
【図１】
2006060427.tif 000003
【図２】
2006060427.tif 000004
【図３】
2006060427.tif 000005
【図４】
2006060427.tif 000006
【図５】
2006060427.tif 000007
【図６】
2006060427.tif 000008
【図７】
2006060427.tif 000009
【図８】
2006060427.tif 000010